(57)【要約】【課題】車室内でサンルーフ開閉のための作動メカニズム部位が見えないように覆い隠して、外観美と商品価値とを同時に向上させるサンルーフを提供する。【解決手段】ルーフパネルとヘッドライナとの間に装着されるガイドレールフレームと；ガイドレールフレームの両側面部位に装着されたメカニズム構成部と；メカニズム構成部によって開閉されるガラスサポートレール及び；ガラスサポートレールの側面に沿って結合してメカニズム構成部を覆い隠すデコレーションカバー；からなり、デコレーションカバーは、ガラスサポートレールの側面部位に沿って結合される所定の長さと、ガイドレールフレームとガラスサポートレールとの間に装着されたメカニズム構成部を覆い隠すことができる所定の高さとを有する。【選択図】図１
2005126031.tif 000002
【特許請求の範囲】
【請求項１】
ルーフパネルとヘッドライナとの間に装着されるガイドレールフレームと；
前記ガイドレールフレームの両側面部位に装着されたメカニズム構成部と；
前記メカニズム構成部によって開閉されるガラスサポートレール及び；
前記ガラスサポートレールの側面に沿って結合して前記メカニズム構成部を覆い隠すデコレーションカバー；からなり、
前記デコレーションカバーは、前記ガラスサポートレールの側面部位に沿って取り付けられる長さと、前記ガイドレールフレームと前記ガラスサポートレールとの間に装着された前記メカニズム構成部を覆い隠すことができる高さとを有することを特徴とする側面美観向上タイプ車両用サンルーフ。
【請求項２】
前記デコレーションカバーは、
前記ガイドレールフレームと前記ガラスサポートレールとの間を覆い隠し、前記メカニズム構成部が見えないようにするボディフレームと；
前記ボディフレームに互いに間隔を置いて複数に形成され、前記ガラスサポートレールの側面部位に嵌合される第１・第２固定部及び；
前記ボディフレームの先端から第１・第２固定部側につながるリブ；からなることを特徴とする請求項１に記載の側面美観向上タイプ車両用サンルーフ。
【請求項３】
前記第１固定部は、前記ガラスサポートレールの側面部位に係止されるように前記ボディフレームの上部部位から延長されて、その先端部位の上方向に矢じり形状の係止端を有し、前記第２固定部は、前記ガラスサポートレールの側面部位に差し込めるように、前期ボディフレームの上部部位から互いに間隔を置いて延長された上下クリップからなることを特徴とする請求項２に記載の側面美観向上タイプ車両用サンルーフ。
【請求項４】
前記第１固定部は、互いに隣接されるように第２固定部の間に備えられたことを特徴とする請求項３に記載の側面美観向上タイプ車両用サンルーフ。
【請求項５】
前記リブは、枠のみが形成された前記ボディフレームの内部に、その長手方向に沿って波形に形成されたことを特徴とする請求項２に記載の側面美観向上タイプ車両用サンルーフ。
【発明の詳細な説明】
【技術分野】
【０００１】
本発明は、車両用サンルーフに係り、より詳しくは、サンルーフを水平移動させるメカニズムが装着された側面部位の美観を、さらに向上させる車両用サンルーフに関する。
【背景技術】
【０００２】
一般に、サンルーフ（Ｓｕｎ  Ｒｏｏｆ）と呼ばれるルーフウィンドウは、運転視界確保のための窓ガラスとは違って、ルーフパネルを通じて日光を取り入れて車室内を明るくし、心理的に空間を大きくして、乗客に解放感を与えると同時に、車室内圧力と外部との間の圧力の差を利用して換気を促進して、車室内の快適性を向上させる役割をになう便利な装置である。
【０００３】
ドアウィンドウガラスを開放させて車室内の換気を行うと、外気が運転者や搭乗者の顔面部位に直接吹き付けるようになって、運転者の目にほこりやごみなどの異物質が入り、安全運行を阻害するようになる。サンルーフで換気を行うと、車室内により多くの外気を取り入れるようにしたにもかかわらず、外気は自動車上端のルーフパネルを通じて車室内に流入されるため、運転者の安全運行には害を及ぼさない。そして、運転者に、より気楽で安楽感を提供する。このような理由で、多くの車両にサンルーフが適用されている。
【０００４】
サンルーフは、その作動方式によって、チルトアップ後スライドするアウトスライドタイプと、ルーフアウターパネルとルーフインナパネルとの間に沿ってスライドするインナスライドタイプ、及び包装タイプで包装を細かく折りながら開けるようにするキャップバストップタイプ等に大きく分類される。
このようにいくつかの種類があるが、サインルーフには、いずれも水平に移動したり、上方向に上げられた後水平移動されたりするためのメカニズム（Ｍｅｃｈａｎｉｓｍ）が装着される。
【特許文献１】特開２００１−２３３０５７号公報
【０００５】
しかしながら、このようなサンルーフはその特性上、開閉のための作動メカニズムを車両屋根の開口された側面（車幅方向を基準に）部位に備えているが、メカニズム装着部位が車室内から眺めると露出して見えるため、外観美を阻害し、商品価値を低下させてしまうとの短所がある。
【発明の開示】
【発明が解決しようとする課題】
【０００６】
本発明の目的は、車室内からサンルーフの開閉のための作動メカニズム部位が見えないように覆い隠して、外観美と商品価値とを同時に向上させながら、しかもサンルーフ側の既存部品の変形や、設計変更を全くしなくて済むサンルーフ構造を提供することにある。
【課題を解決するための手段】
【０００７】
上記の目的を達成するため、本発明による側面美観向上タイプ車両用サンルーフは、ルーフパネルとヘッドライナとの間に装着されるガイドレールフレームと；前記ガイドレールフレームの両側面部位に装着されたメカニズム構成部と；前記メカニズム構成部によって開閉されるガラスサポートレール及び；前記ガラスサポートレールの側面に沿って結合して前記メカニズム構成部を覆い隠すデコレーションカバー；からなり、前記デコレーションカバーは、前記ガラスサポートレールの側面部位に沿って取り付けられる長さと、前記ガイドレールフレームと前記ガラスサポートレールとの間に装着された前記メカニズム構成部を覆い隠すことができる高さとを有することを特徴とする。
【０００８】
前記デコレーションカバーは、前記ガイドレールフレームと前記ガラスサポートレールとの間を覆い隠し、前記メカニズム構成部が見えないようにするボディフレームと；前記ボディフレームに互いに間隔を置いて複数に形成され、前記ガラスサポートレールの側面部位に嵌合される第１・第２固定部及び；前記ボディフレームの先端から第１・第２固定部側につながるリブ；からなることが好ましい。
【０００９】
前記第１固定部は、前記ガラスサポートレールの側面部位に係止されるように前記ボディフレームの上部部位から延長されて、その先端部位の上方向に矢じり形状の係止端を有し、前記第２固定部は、前記ガラスサポートレールの側面部位に差し込めるように、前期ボディフレームの上部部位から互いに間隔を置いて延長された上下クリップからなることが好ましい。
【００１０】
前記第１固定部は、互いに隣接されるように第２固定部の間に備えられたことが好ましい。
【００１１】
前記リブは、枠のみが形成された前記ボディフレームの内部に、その長手方向に沿って、波形に形成されることが好ましい。
【発明の効果】
【００１２】
サンルーフを作動させるメカニズム構成部が露出したガイドレールフレームとガラスサポートレール間の両側面部位とを、デコレーションカバーを介して覆い隠したので、露出するメカニズム構成部による外観美低下等を防止することができる。また、デコレーションカバーの形状を装飾的な波形としてデザイン性を強化したので、商品価値をさらに向上させることができる。さらにまた、デコレーションカバーが完全に別個の部品として製造されるため、サンルーフ側の既存部品を変形することはなく、設計変更も全くしなくて済むことはもちろんである。
【発明を実施するための最良の形態】
【００１３】
以下、本発明の実施例を添付図によって詳述する。
【実施例１】
【００１４】
図１は、本発明による、側面美観向上タイプ車両用サンルーフの側面構成図である。図２は、本発明による、側面美観向上のために使用されるデコレーションカバーによってサンルーフメカニズム部位が覆い隠された断面図を示したものである。
【００１５】
本発明のサンルーフは、ルーフパネル（Ｒ）とヘッドライナとの間に装着されるガイドレールフレーム１と、このガイドレールフレーム１の開口領域に位置されて、日光の紫外線流入を遮断するサンシェード２と、日光の直接的な車両室内流入を遮断する透明や半透明材質からなるガラス４が取り付けられて開閉されるガラスサポートレール３と、ガイドレールフレーム１に沿ってガラスサポートレール３を開閉するようにガイドレールフレーム１の側面部位に装着されたメカニズム構成部５及びガラスサポートレール３の側面に沿って結合して閉まった時にメカニズム構成部５を覆い隠すデコレーションカバー１０とからなる。
【００１６】
図３と図４に示すように、メカニズム構成部５は、通常的にモーターで作動する複数のリンクからなり、ガイドレールフレーム１の両側部位に装着され、作動時にガイドレールフレーム１に沿って、ガラスサポートレール３を前後にスライド（Ｓｌｉｄｅ）移動させる。
【００１７】
図２に示すように、デコレーションカバー１０は、所定の長さで長尺に形成されており、ガラスサポートレール３の側面部位に沿って結合される。
図３に示すように、デコレーションカバー１０は、所定高さを有して、ガイドレールフレーム１とガラスサポートレール３との間に装着されたメカニズム構成部５を覆い隠している。なお、その断面は逆Ｌ字形断面形状をしている。
【００１８】
即ち、デコレーションカバー１０は、ガイドレールフレーム１とガラスサポートレール３の間を覆い隠して、メカニズム構成部５が見えないようにするボディフレーム１１と、このボディフレーム１１に互いに間隔を置いて、２枚で形成されて、ガラスサポートレール３の側面部位に嵌合される第１・第２固定部１２、１４、及びボディフレーム１１の先端から第１・第２固定部１２、１４への側面につながっているリブ１５からなる。
【００１９】
ここで、第１固定部１２は、ガラスサポートレール３の側面部位に係止されるようにボディフレーム１１の上部部位から延長されて、その先端部位で上方向に矢じり形状に形成した係止端１２ａからなる。第２固定部１４は、ガラスサポートレール３の側面部位に差し込めるように、互いに間隔を置いてボディフレーム１１の上部部位から長く延ばされた、上下クリップ１４ａ、１４ｂからなる。
ここで、第１固定部１２は、互いに隣接するように形成された第２固定部１４の間に備えられることはもちろんである。
【００２０】
図４に示されるように、デコレーションカバー１０は、その形状を色々と異なった形状に変形できる。ガイドレールフレーム１とガラスサポートレール３との間を覆い隠して、メカニズム構成部５が見えないようにするボディフレーム１１に形成されたリブ１５を、枠のみを形成したボディフレーム１１の内部で、その長手方向に沿って波形に形成して、美観的をさらに向上させることもできる。
【００２１】
以下、本発明によるサンルーフの仕掛けをさらに詳しく説明する。
図１に示すように、サンルーフの外観美を向上するためのデコレーションカバー１０は、サンルーフが車両のルーフパネル（Ｒ）部位に装着された状態で、車内から見えていたサンルーフの両側面に装着されているメカニズム構成部５を覆い隠す。デコレーションカバー１０は、ガイドレールフレーム１に沿って前後にスライド（Ｓｌｉｄｅ）移動されるガラスサポートレール３に嵌合される。デコレーションカバー１０は、同時に外観美も向上させる。
【００２２】
デコレーションカバー１０は、独立した部品で別途製作され、既に装着されたサンルーフのガラスサポートレール３の側面部位に嵌合する作業だけで簡単に取り付けることができる。即ち、デコレーションカバー１０をガラスサポートレール３の側面部位に嵌合すれば、デコレーションカバー１０の第１固定部１２が、その先端部位で上方向に矢じり形状に形成した係止端１２ａを介して、ガラスサポートレール３の側面部位に係止される。
【００２３】
この時、第１固定部１２は、ガラス４が備えられたガラスサポートレール３の形状と構造にあわせて形成されているので、自然にガラスサポートレール３に係止され固定される。
さらに、デコレーションカバー１０の第２固定部１４も、ガラスサポートレール３の側面部位に簡単に結合される。図３に示すように、第２固定部１４は、その上下クリップ１４ａ、１４ｂによって、ガラスサポートレール３の側面部位を挟み込むので、自然に固定力が発生してガラスサポートレール３と結合される。
このように、デコレーションカバー１０の第１・第２固定部１２、１４をガラスサポートレール３の側面部位に嵌合する単純な作業だけで、ガイドレールフレーム１とガラスサポートレール３との間に装着されたメカニズム構成部５を覆い隠すことができる。
【００２４】
一方、デコレーションカバー１０のリブ１５部位を変形すれば、その外観美をさらに向上することができる。図２に示すデコレーションカバー１０の例は、リブ１５部位を、ボディフレーム１１の先端から第１・第２固定部１２、１４の車室側から見えない方の側面に、ボディフレーム１１の剛性のみを強化する目的で設けたものである。これに代わって、図４に示すデコレーションカバー１０の例は、ボディフレーム１１の枠のみを残して、その内部に、その長手方向に沿って波形のリブ１５を形成したものである。これにより、美観的な面で商品価値をさらに向上させることができる。
【産業上の利用可能性】
【００２５】
本発明は、車両のサンルーフに適用することができる。
【図面の簡単な説明】
【００２６】
【図１】本発明による側面美観向上タイプ車両用サンルーフの側面構成図である。
【図２】本発明による側面美観向上のために使用されるデコレーションカバーによってサンルーフメカニズム部位が覆い隠された断面図である。
【図３】本発明による側面美観向上のために使用されるデコレーションカバーの構成図である。
【図４】本発明による、図２の形状とは異なる波形のデコレーションカバーが装着された状態図である。
【符号の説明】
【００２７】
１    ガイドレールフレーム
２    サンシェード
３    ガラスサポートレール
４    ガラス
５    メカニズム構成部
１０    デコレーションカバー
１１    ボディフレーム
１２    第１固定部
１２ａ    係止端
１４    第２固定部
１４ａ、１４ｂ    上下クリップ
１５    リブ
Ｒ    ルーフパネル
Ｋ    メカニズム露出部位
【図１】
2005126031.tif 000003
【図２】
2005126031.tif 000004
【図３】
2005126031.tif 000005
【図４】
2005126031.tif 000006